(57)【要約】【課題】用紙を収納する収納容器と搬送ロールとの位置関係の制約を低減することで、小型化することができる搬送装置及び画像形成装置を提供する。【解決手段】画像形成装置１０は、画像形成装置本体１２と、画像形成装置本体１２内に引き出し可能に装着され、用紙を収納する収納容器２０２と、用紙の搬送に用いられる搬送ロール３０６と、収納容器２０２が画像形成装置本体１２内から引き出されることに連係して、用紙の搬送に用いられる第１の位置から、収納容器２０２等が画像形成装置本体１２に着脱される際の軌跡と干渉しない第２の位置に搬送ロール３０６を移動させる移動制御機構とを有する。【選択図】図８
2009220892.tif 000002
【特許請求の範囲】
【請求項１】
搬送装置本体と、
前記搬送装置本体内に引き出し可能に装着され、用紙を収納する収納容器と、
前記搬送装置本体内に装着され、用紙の搬送に用いられる搬送ロールと、
前記収納容器が前記搬送装置本体内から引き出される動作に連係して、用紙の搬送に用いられる第１の位置から、前記収納容器が前記搬送装置本体内に着脱される際の軌跡と干渉しない第２の位置に、前記搬送ロールを移動させる移動制御機構と、
を有する搬送装置。
【請求項２】
搬送装置本体と、
前記搬送装置本体内に引き出し可能に装着され、用紙を収納する収納容器と、
前記搬送装置本体内に装着され、用紙の搬送に用いられる搬送ロールと、
前記収納容器が前記搬送装置本体内へ装着される動作に連係して、前記収納容器が前記搬送装置本体内に着脱される際の軌跡と干渉しない第２の位置から、用紙の搬送に用いられる第１の位置に、前記搬送ロールを移動させる移動制御機構と、
を有する搬送装置。
【請求項３】
前記搬送ロールは、前記搬送装置本体外から用紙を供給可能な手差し用紙供給部からの用紙を搬送する請求項１又は２記載の搬送装置。
【請求項４】
前記移動制御機構は、前記搬送ロールを、前記第１の位置から前記第２の位置の方向へ移動するように押圧する押圧部材を有する請求項１乃至３いずれか記載の搬送装置。
【請求項５】
前記移動制御機構は、前記収納容器が前記搬送装置本体内に装着された状態において、前記押圧部材の押圧に抗して、前記搬送ロールを前記第１の位置に保持する保持部をさらに有する請求項１乃至５いずれか記載の搬送装置。
【請求項６】
前記移動制御機構は、前記搬送ロールを、前記搬送装置本体内に装着された状態にある前記収納容器に押圧して、前記収納容器に対して位置決めするために用いられる位置決め部材を有する請求項１乃至３いずれか記載の搬送装置。
【請求項７】
画像形成装置本体と、
前記画像形成装置本体内に引き出し可能に装着され、用紙を収納する収納容器と、
前記画像形成装置本体内に装着され、用紙の搬送に用いられる搬送ロールと、
少なくとも前記収納容器から供給された用紙に画像形成を行う画像形成部と、
前記収納容器が前記画像形成装置本体内から引き出される動作に連係して、用紙の搬送に用いられる第１の位置から、前記収納容器が前記画像形成装置本体内に着脱される際の軌跡と干渉しない第２の位置に、前記搬送ロールを移動させる移動制御機構と、
を有する画像形成装置。
【請求項８】
画像形成装置本体と、
前記画像形成装置本体内に引き出し可能に装着され、用紙を収納する収納容器と、
前記画像形成装置本体内に装着され、用紙の搬送に用いられる搬送ロールと、
少なくとも前記収納容器から供給された用紙に画像形成を行う画像形成部と、
前記収納容器が前記画像形成装置本体内へ装着される動作に連係して、前記収納容器が前記画像形成装置本体内に着脱される際の軌跡と干渉しない第２の位置から、用紙の搬送に用いられる第１の位置に、前記搬送ロールを移動させる移動制御機構と、
を有する画像形成装置。
【発明の詳細な説明】
【技術分野】
【０００１】
本発明は搬送装置及び画像形成装置に関する。
【背景技術】
【０００２】
画像形成装置本体に引き出し自在に装着され前記画像形成装置本体の画像形成部にシートを供給するための第一シート収容部を備えた給紙カセットと、前記給紙カセットに設けられ前記第一シート収容部とは異なる第二シート収容部に収容されたシートを前記画像形成装置本体の画像形成部に供給するための第二シート供給機構と、を備えた給紙装置であって、前記給紙カセットの着脱時に、前記画像形成装置本体に設けられ前記第二シート収容部から該画像形成装置本体にシートを供給する給紙手段が通過する凹部を前記給紙カセットに設けた給紙装置が知られている（特許文献１）。
【０００３】
【特許文献１】特開２００７−７６７９０号公報
【発明の開示】
【発明が解決しようとする課題】
【０００４】
本発明の目的は、用紙を収納する収納容器と搬送ロールとの位置関係の制約を低減することで、小型化することができる搬送装置及び画像形成装置を提供することを目的とする。
【課題を解決するための手段】
【０００５】
本発明の第１の特徴とするところは、搬送装置本体と、前記搬送装置本体内に引き出し可能に装着され、用紙を収納する収納容器と、前記搬送装置本体内に装着され、用紙の搬送に用いられる搬送ロールと、前記収納容器が前記搬送装置本体内から引き出される動作に連係して、用紙の搬送に用いられる第１の位置から、前記収納容器が前記搬送装置本体内に着脱される際の軌跡と干渉しない第２の位置に、前記搬送ロールを移動させる移動制御機構と、を有する搬送装置にある。
【０００６】
また、本発明の第２の特徴とするところは、搬送装置本体と、前記搬送装置本体内に引き出し可能に装着され、用紙を収納する収納容器と、前記搬送装置本体内に装着され、用紙の搬送に用いられる搬送ロールと、前記収納容器が前記搬送装置本体内へ装着される動作に連係して、前記収納容器が前記搬送装置本体内に着脱される際の軌跡と干渉しない第２の位置から、用紙の搬送に用いられる第１の位置に、前記搬送ロールを移動させる移動制御機構と、を有する搬送装置にある。
【０００７】
好適には、前記搬送ロールは、前記搬送装置本体外から用紙を供給可能な手差し用紙供給部からの用紙を搬送する。
【０００８】
また、好適には、前記移動制御機構は、前記搬送ロールを、前記第１の位置から前記第２の位置の方向へ移動するように押圧する押圧部材を有する。
【０００９】
また、好適には、前記移動制御機構は、前記収納容器が前記搬送装置本体内に装着された状態において、前記押圧部材の押圧に抗して、前記搬送ロールを前記第１の位置に保持する保持部をさらに有する。
【００１０】
また、好適には、前記移動制御機構は、前記搬送ロールを、前記搬送装置本体内に装着された状態にある前記収納容器に押圧して、前記収納容器に対して位置決めするために用いられる位置決め部材を有する。
【００１１】
また、本発明の第３の特徴とするところは、画像形成装置本体と、前記画像形成装置本体内に引き出し可能に装着され、用紙を収納する収納容器と、前記画像形成装置本体内に装着され、用紙の搬送に用いられる搬送ロールと、少なくとも前記収納容器から供給された用紙に画像形成を行う画像形成部と、前記収納容器が前記画像形成装置本体内から引き出される動作に連係して、用紙の搬送に用いられる第１の位置から、前記収納容器が前記画像形成装置本体内に着脱される際の軌跡と干渉しない第２の位置に、前記搬送ロールを移動させる移動制御機構と、を有する画像形成装置にある。
【００１２】
また、本発明の第３の特徴とするところは、画像形成装置本体と、前記画像形成装置本体内に引き出し可能に装着され、用紙を収納する収納容器と、前記画像形成装置本体内に装着され、用紙の搬送に用いられる搬送ロールと、少なくとも前記収納容器から供給された用紙に画像形成を行う画像形成部と、前記収納容器が前記画像形成装置本体内へ装着される動作に連係して、前記収納容器が前記画像形成装置本体内に着脱される際の軌跡と干渉しない第２の位置から、用紙の搬送に用いられる第１の位置に、前記搬送ロールを移動させる移動制御機構と、を有する画像形成装置にある。
【発明の効果】
【００１３】
本発明によれば、用紙を収納する収納容器と搬送ロールとの位置関係の制約を低減することで、小型化することができる搬送装置及び画像形成装置を提供することができる。
【発明を実施するための最良の形態】
【００１４】
次に本発明の実施形態を図面に基づいて説明する。
図１には、本発明の実施形態に係る画像形成装置１０の概要が示されている。画像形成装置１０は、搬送装置本体としても用いられる画像形成装置本体１２を有し、画像形成装置本体１２内に、画像形成部１００と、画像形成部１００に向けて用紙を供給する第１の供給部として用いられる本体内給紙装置２００と、レジスト装置４００と、搬送ベルトユニット５００と、画像形成部１００に用紙を供給する第２の供給部として用いられる手差し給紙装置３００と、画像形成装置本体１２外に用紙を排出する排出装置として用いられる排出ロール６０２とが装着されている。
また、画像形成装置本体１２には、上部に、排出ロール６０２によって画像形成がなされた用紙が排出される排出部１６が設けられている。
【００１５】
画像形成部１００は、カラー画像を形成する電子写真方式のもので、画像形成装置本体１２に着脱可能に装着され、像保持体として用いられる感光体１０４Ｙ、１０４Ｍ、１０４４Ｃ、１０４Ｂをそれぞれが有する４個のプロセスカートリッジ１０６Ｙ、１０６Ｍ、１０６Ｃ、１０６Ｂを有する。プロセスカートリッジ１０６Ｙ、１０６Ｍ、１０６Ｃ、１０６Ｂの詳細については後述する。
【００１６】
また、画像形成部１００は、感光体１０４Ｙ、１０４Ｍ、１０４Ｃ、１０４Ｂに光により静電潜像を書き込む潜像形成手段として用いられる光書き込み装置（露光手段）１０８Ｙ、１０８Ｍ、１０８Ｃ、１０８Ｂと、感光体１０４Ｙ、１０４Ｍ、１０４Ｃ、１０４Ｂに形成された現像剤像を、それぞれ用紙に転写し、転写手段として用いられる転写ロール１１０Ｙ、１１０Ｍ、１１０Ｃ、１１０Ｂと、転写ロール１１０Ｙ、１１０Ｍ、１１０Ｃ、１１０Ｂによって用紙に転写された現像剤像を用紙に定着させる定着装置１１２とを有する。
【００１７】
プロセスカートリッジ１０６Ｙはイエロー現像剤像の形成用であり、プロセスカートリッジ１０６Ｍはマゼンタ現像剤像の形成用であり、プロセスカートリッジ１０６Ｃはシアン現像剤像の形成用であり、プロセスカートリッジ１０６Ｂはブラック現像剤像の形成用である。
【００１８】
プロセスカートリッジ１０６Ｙは、光書き込み装置１０８Ｙにより感光体１０４Ｙに書き込まれた潜像を現像し、感光体１０４Ｙの表面にイエロー現像剤像を形成する。そしてプロセスカートリッジ１０６Ｙと同様に、プロセスカートリッジ１０６Ｍは感光体１０４Ｍの表面にマゼンタ現像剤像を、プロセスカートリッジ１０６Ｃは感光体１０４Ｃの表面にシアン現像剤像を、プロセスカートリッジ１０６Ｂは感光体１０４Ｂの表面にブラック現像剤像を形成する。
【００１９】
光書き込み装置１０８Ｙ、１０８Ｍ、１０８Ｃ、１０８Ｂはそれぞれレーザー露光装置からなり、光書き込み装置１０８Ｙは感光体１０４Ｙにイエロー画像に対応するレーザー光を、光書き込み装置１０８Ｍは感光体１０４Ｍにマゼンタ画像に対応するレーザー光を、光書き込み装置１０８Ｃは感光体１０４Ｃにシアン画像に対応するレーザー光を、光書き込み装置１０８Ｂは感光体１０４Ｂにブラック画像に対応するレーザー光をそれぞれ発し、感光体１０４Ｙ、１０４Ｍ、１０４Ｃ、１０４Ｂにそれぞれ静電潜像を書き込む。
【００２０】
転写ロール１１０Ｙ、１１０Ｍ、１１０Ｃ、１１０Ｂには、それぞれ転写バイアスが印加されていて、感光体１０４Ｙ、１０４Ｍ、１０４Ｃ、１０４Ｂに形成された現像剤像を、搬送ベルトユニット５００によって搬送中の用紙へと順に転写し、用紙にイエロー、マゼンタ、シアン、ブラックの４色の現像剤像が重ねられたカラー現像剤像を形成する。
【００２１】
定着装置１１２は、例えば、加熱ロール１１２ａと加圧ロール１１２ｂとからなり、加熱ロール１１２ａと加圧ロール１１２ｂとの間を通過する用紙を加熱し加圧することで、用紙に現像剤像を定着させる。
現像剤像が定着された用紙は、排出ロール６０２によって、排出部１６に排出される。
【００２２】
本体内給紙装置２００は、画像形成部１００へ向けて用紙を供給するために用いられ、例えばカセット等からなり、用紙を収納する収納容器２０２を有する。収納容器２０２には、内部に用紙が積層するように収納され、収納容器２０２は、図１に矢印Ａで示すように画像形成装置本体１２に対して前側に引き出し可能となっている。ここで、引き出し可能とは、収納容器２０２が、画像形成装置本体１２から取り外すことができる場合も含む。
【００２３】
また、本体内給紙装置２００は、収納容器２０２から用紙を送り出す送り出し手段として用いられるピックアップロール２０４と、ピックアップロール２０４によってピックアップされた用紙を下流側へと搬送する搬送ロール２０６と、搬送ロール２０６に対向して設けられ、収納容器２０２からの用紙を捌き、複数枚の用紙が重なった状態で搬送されることを防止するリタードロール２０８とを有している。ピックアップロール２０４、搬送ロール２０６、及びリタードロール２０８は、収納容器２０２に装着され、収納容器２０２とともに画像形成装置本体１２から引き出し可能となっている。
【００２４】
また、第１の収納容器２０２には、手差し給紙装置３００の一部をなすリタードロール３０８が装着されている。このため、収納容器２０２を画像形成装置本体１２内から引き出す際に、リタードロール３０８は、収納容器２０２とともに画像形成装置本体１２内から引き出される。したがって、リタードロール２０８、リタードロール３０８が故障等した場合に、交換作業が容易となっている。
【００２５】
手差し給紙装置３００は、画像形成装置本体１２の外部から用紙を受け入れ可能であり、受け入れた用紙を画像形成部１００に向けて供給するために用いられていて、搬送ロールとして用いられる手差し用の搬送ロール３０６と、先述のリタードロール３０８と、開閉トレイ３０４とを有する。
【００２６】
開閉トレイ３０４は、画像形成装置本体１２外から用紙を供給可能な手差し用紙供給部として用いられていて、画像形成装置本体１２に対して、図１に矢印Ｂで示すように、ヒンジ３０２を用いて画像形成装置本体１２に対して開閉可能であって、画像形成装置本体１２に対して開いた状態で、例えば、収納容器２０２に収納された用紙とは、大きさや種類の異なる用紙が載せられる。
搬送ロール３０６は、リタードロール３０８と接触可能に設けられ、開閉トレイ３０４に載せられた用紙を、レジスト装置４００、画像形成部１００に向けて搬送する。
【００２７】
図２には、搬送ベルトユニット５００が示されている。
搬送ベルトユニット５００は、レジスト装置４００（図１参照）の用紙搬送方向下流側に設けられていて、搬送部材として用いられる搬送ベルト５０２を有する。
搬送ベルト５０２は、例えば４個の支持ロール５１０、５１２、５１４、５１６によって、図２中に示す矢印方向に回転することができるように支持されている。支持ロール５１０、５１２、５１４、５１６のうちの少なくとも１つが、搬送ベルト５０２に駆動を伝達する駆動ロールとして用いられ、この実施形態では、支持ロール５１０が駆動ロールとして用いられている。
【００２８】
支持ロール５１０には、駆動源として用いられるモータ５２０が連結されていて、モータ５２０からの駆動伝達を受けて支持ロール５１０が回転をし、搬送ベルト５０２を回転駆動させ、回転駆動する搬送ベルト５０２によって、レジスト装置４００（図１参照）側から供給された用紙が、定着装置１１２（図１参照）側へと、重力方向下方から重力方向上方に向けて搬送される。尚、画像形成部１００の一部をなす転写ロール１１０Ｙ、１１０Ｍ、１１０Ｃ、１１０Ｂは、搬送ベルト５０２の内側に配置されている。
【００２９】
図３には、プロセスカートリッジ１０６と、プロセスカートリッジ１０６近傍の構成が示されている。
プロセスカートリッジ１０６Ｙ、１０６Ｍ、１０６Ｃ、１０６Ｂ、感光体１０４Ｙ、１０４Ｍ、１０４Ｃ、１０４Ｂ、転写ロール１１０Ｙ、１１０Ｍ、１１０Ｃ、１１０Ｂ、及び光書き込み装置１０８Ｙ、１０８Ｍ、１０８Ｃ、１０８Ｂは、形成する現像剤像の色は異なるものの構成は同じであるので、以下、プロセスカートリッジ１０６、感光体１０４、転写ロール１１０、光書き込み装置１０８と総称する。
【００３０】
プロセスカートリッジ１０６は、プロセスカートリッジ本体１２２を有し、プロセスカートリッジ本体１２２内に、先述の感光体１０４と、感光体１０４を一様に帯電する帯電ロールを備えた帯電装置（帯電手段）１２４と、帯電装置１２４により帯電され、光書き込み装置１０８（図１参照）により感光体１０４に書き込まれた静電潜像を現像剤（トナー）で現像する現像装置１２６と、転写ロール１１０による現像剤像の転写がなされた後に、静電潜像が書き込まれた感光体１０４にイレース光を照射して除電する除電装置（除電手段）１２８と、感光体１０４に残留する現像剤をクリーニングブレード１３０により掻きとるクリーニング装置１３２とが設けられている。
【００３１】
プロセスカートリッジ本体１２２には、水平方向における一端部から他端部近傍まで至るレーザー光路１２２ａが形成されていて、光書き込み装置１０８からのレーザー光がレーザー光路１２２ａを通過して感光体１０４へと到達する。
【００３２】
現像装置１２６は、感光体１０４に形成された静電潜像を現像剤で現像する現像ロール１３４が配置された現像室１３６と、現像室１３６に現像剤を供給する第１の現像剤供給室１３８と、第１の現像剤供給室１３８に現像剤を供給する第２の現像剤供給室１４０とを有している。現像室１３６と第１の現像剤供給室１３８とはプロセスカートリッジ本体１２２に設けられた現像剤通路１４２で連通され、第１の現像剤供給室１３８と第２の現像剤供給室１４０とは現像剤搬送路（不図示）で連通されている。
【００３３】
現像室１３６は感光体１０４の下方に位置しており、先述の現像ロール１３４とあわせて、２個のオーガ１４４、１４４が設けられ、オーガ１４４、１４４が現像室１３６内の現像剤を現像ロール１３４へと搬送し、オーガ１４４、１４４により搬送された現像剤を現像ロール１３４が感光体１０４へと供給する。
【００３４】
第１の現像剤供給室１３８は現像室１３６の側方に位置しており、第１現像剤供給室１３８内に貯蔵された現像剤が、現像室１３６との間の位置に設けられた現像剤搬送ロール１４６により先述の現像剤通路１４２を介して現像室１３６へと供給される。また、第１の現像剤供給室１３８には、２つのスクレーパ１４８、１４８が設けられていて、スクレーパ１４８、１４８が第１の現像剤供給室１３８内の現像剤を撹拌するとともに、現像剤搬送ロール１４６の方向へ現像剤を搬送する。
【００３５】
第２の現像剤供給室１４０は、第１の現像剤供給室１３８の上方に位置しており、第２の現像剤供給室１４０内に貯蔵された現像剤が現像剤搬送路（不図示）を通過して第１の現像剤供給室１３８へ供給される。
【００３６】
図４には、手差し用の搬送ロール３０６が示されている。
図４に示されるように、搬送ロール３０６は、枠体３２０に回転することができるように取り付けられている。また、搬送ロール３０６は、少なくとも一部分が枠体３２０から露出していて、枠体３２０から露出した部分が、リタードロール３０８と接触することができるようになっている。
【００３７】
枠体３２０には、左右両側面の搬送ロール３０６と略重なる位置に、略円柱形上からなる、凸部３２２、３２２がそれぞれ形成されている。尚、図４には、図４における手前側にあたる左側面に形成された凸部３２２だけが図示されている。
【００３８】
搬送ロール３０６は、枠体３２０と一体として、図４（ａ）に示されるリタードロール３０８に接する位置と、図４（ｂ）に示されるリタードロール３０８から離間した位置との間を移動することができるようになっている。
図４（ａ）に示される搬送ロール３０６の位置は、手差し給紙装置３００から用紙の搬送に用いられる第１の位置にあたる。また、図４（ｂ）に示される搬送ロール３０６位置は、画像形成装置本体１２内に収納容器２０２等が着脱される際の軌跡と干渉しない第２の位置にあたる。
尚、搬送ロール３０６を移動させる機構である、移動制御機構については後述する。
【００３９】
図５には収納容器２０２の断面図が示されている。
収納容器２０２には、先述のようにリタードロール２０８、及びリタードロール３０８が装着されており、ピックアップロール２０４、搬送ロール２０６は画像形成装置本体１２に取り付けられている。そして、収容容器２０２を画像形成装置本体１２から引き出すにあたっては、リタードロール２０８の用紙搬送方向下流に位置し、リタードロール２０８に続いて設けられた用紙ガイド部２０９の移動の軌跡と、他の部材とが干渉することがある。ここで、用紙ガイド部２０９は、搬送ロール２０６とリタードロール２０８とで搬送された用紙を、レジスト装置４００へとガイドする機能を有する。また、図５には、用紙の搬送に用いられる第１の位置にある搬送ロール３０６が配置される位置が、２点鎖線で示されている。
【００４０】
図５における矢印Ｃは、収納容器２０２等が画像形成装置本体１２に着脱される際の、用紙ガイド部２０９の上端部の軌跡を示している。図５に示すように、搬送ロール３０６が第１の位置にある場合、収納容器２０２を画像形成装置本体１２から引き出す際に、用紙ガイド２０９部の上端部の軌跡と、搬送ロール３０６とが干渉してしまう。また、同様に、収納容器２０２を画像形成装置本体１２内に装着する際にも、搬送ロール３０６が第１の位置にあると、用紙ガイド部２０９の軌跡と搬送ロール３０６とが干渉してしまう。
【００４１】
次に、図６乃至図８を参照して、搬送ロール３０６を移動させる移動制御機構について説明する。
図６には、収納容器２０２の側面図が示されている。
収納容器２０２には、例えば、左右の両側面にそれぞれ１つ、合計で２つの保持部材２１０が設けられている。尚、図６においては、図６における手前側にあたる左側面に設けられた保持部材２１０だけが示されている。
保持部材２１０は、収納容器２０２が画像形成装置本体１２内に装着された状態において、後述する付勢部材２０（図７参照）による付勢に抗して、搬送ロール３０６を第１の位置に保持する保持部として用いられている。
【００４２】
保持部材２１０には、後ろ側（図６における左側）に向けて切り欠き２１２が形成されていて、切り欠き２１２で枠体３２０の凸部３２２を支持するようにして、搬送ロール３０６を第１の位置に保持する。
【００４３】
図７には、画像形成装置本体１２（図１参照）の一部をなす側板１４が示されている。
側板１４には、搬送ロール３０６の、第１の位置と第２の位置との間の移動を案内する案内部として用いられる案内孔１５が形成されている。案内孔１５には、画像形成装置本体１２の内側から外側に向かう方向に枠体３２０の凸部３２２が挿入されている。
尚、図７においては、画像形成装置本体１２内における左側に位置する側板１４が示されているが、画像形成装置本体１２内における右側にも側板１４が設けられていて、該側板１４にも案内孔１５が形成されている。
【００４４】
案内孔１５、１５に案内されるようにして、凸部３２２、３２２が移動することに伴い、搬送ロール３０６は、第１の位置（図４（ａ）参照）と第２の位置（図４（ｂ）参照）との間を移動する。
【００４５】
また、側板１４の外側には、軸２２（図８参照）を中心に、図７に示す矢印Ｄ方向に回転ができるように回転部材１８が取り付けられている。回転部材１８は、搬送ロール３０６が第１の位置から第２の位置に方向へ移動するように、凸部３２２、枠体３２０等を介して搬送ロール３０６を押圧する押圧部材として用いられている。
また、回転部材１８は、矢印Ｅ方向に回転することで、搬送ロール３０６を、画像形成装置本体１２内に装着された状態にある収納容器２０２に向けて押圧し、収納容器２０２に対して位置決めする位置決め部材として用いられている。
【００４６】
回転部材１８には、例えばバネ等の弾性体からなる付勢部材２０が装着されていて、回転部材１８は、図７に示す矢印Ｅ方向に回転するように付勢部材２０によって付勢される。また、回転部材１８は、凸部３２２の案内孔１５から突出した部分に斜め下側から当接している。
上述のように、保持部材２１０、付勢部材２０、切り欠き２１２、凸部３２２、案内孔１５、及び回転部材１８等が、搬送ロール３０６を移動させる移動制御部材として用いられている。
【００４７】
図８には、搬送ロール３０６が、収納容器２０２の画像形成装置本体１２内への着脱に連係して移動する際の動作が説明されている。
収納容器２０２が画像形成装置本体１２内に装着された状態においては、図８（ａ）に示されるように、凸部３２２が回転部材１８によって切り欠き２１２に押し付けられて、枠体３２０と、枠体３２０に支持される搬送ロール３０６と収納容器２０２に対して位置決めされている。このように、回転部材１８は、収納容器２０２に対して搬送ロール３０６を位置決めする位置決め部材としても用いられている。
【００４８】
図８（ａ）に示される状態から、矢印Ａ１に示すように、収納容器２０２が画像形成装置本体１２内から引き出されると、収納容器２０２に設けられた保持部材２１０も矢印Ａ１方向に移動する。保持部材２１０がＡ１方向に移動すると、凸部３２２の切り欠き２１２による保持が解除されることで、矢印方向に回転する回転部材１８に押圧されて、凸部３２２が案内孔１５に案内されるように移動し、枠体３２０と枠体３２０に支持された搬送ロール３０６とが図８（ｂ）に示される位置へ移動する。
【００４９】
ここで、図８（ａ）に示される枠体３２０及び搬送ロール３０６の位置は、図４（ａ）に示される第１の位置であり、図８（ｂ）に示される位置は、図４（ｂ）に示される第２の位置である。すなわち、搬送ロール３０６は、収納容器２０２が画像形成装置本体１２内から引き出されることに連係して、用紙の搬送に用いられる第１の位置から、収納容器２０２等が画像形成装置本体１２内に着脱される際の軌跡と干渉しない第２の位置に移動する。
【００５０】
収納容器２０２が画像形成装置本体１２内に装着される際には、図８（ｂ）に示されるように、収納容器２０２と保持部材２１０とが矢印Ａ２方向に移動し、切り欠き２１２を形成する斜面２１８によって、凸部３２２が押圧され、回転部材１８による付勢に抗して、回転部材１８を矢印方向に回転させつつ、凸部３２２が案内孔１５に案内されるように移動し、凸部３２２が移動することで、枠体３２０と搬送ロール３０６とが図８（ａ）に示される位置へと移動する。すなわち、搬送ロール３０６は、収納容器２０２が画像形成装置本体１２内へ装着されることに連係して、収納容器２０２等が、画像形成装置本体１２内に着脱される際の軌跡と干渉しない第２の位置から、用紙の搬送に用いられる第１の位置へ移動する。
【産業上の利用可能性】
【００５１】
以上述べたように、本発明は、プリンタ、ファクシミリ、複写機等の搬送装置及び画像形成装置に利用することができる。
【図面の簡単な説明】
【００５２】
【図１】本発明の実施形態に係る画像形成装置を示す断面図である。
【図２】本発明の実施形態に用いられる搬送ベルトユニットを示す断面図である。
【図３】本発明の実施形態に用いられるプロセスカートリッジを示す断面図である。
【図４】本発明の実施形態に用いられる搬送ロールを示し、図４（ａ）は搬送ロールが用紙の搬送に用いられる第１の位置にある状態を示す左側面図であり、図４（ｂ）は搬送ロールが収納容器の着脱の軌跡と干渉しない第２の位置にある状態を示す左側面図である。
【図５】本発明の実施形態に用いられる収納容器を示す断面図である。
【図６】本発明の実施形態に用いられる収納容器を示す左側面図である。
【図７】本発明の実施形態に用いられる画像形成装置本体の要部を拡大して示す斜視図である。
【図８】本発明の実施形態に用いられる搬送ロールの動作を示し、図８（ａ）は搬送ロールが用紙の搬送に用いられる第１の位置にある状態を説明する左側面図であり、図８（ｂ）は搬送ロールが収納容器の着脱の軌跡と干渉しない位置にある状態を説明する左側面図である。
【符号の説明】
【００５３】
１０      画像形成装置
１２      画像形成装置本体
１４      側板
１５      案内孔
１８      回転部材
２０      付勢部材
１００    画像形成部
２００    本体内給紙装置
２０２    収納容器
２０９    ガイド部
２１０    保持部材
２１８    斜面
３００    手差し給紙装置
３０４    開閉トレイ
３０６    搬送ロール
３０８    リタードロール
３２０    枠体
３２２    凸部
【図１】
2009220892.tif 000003
【図２】
2009220892.tif 000004
【図３】
2009220892.tif 000005
【図４】
2009220892.tif 000006
【図５】
2009220892.tif 000007
【図６】
2009220892.tif 000008
【図７】
2009220892.tif 000009
【図８】
2009220892.tif 000010